(57)【要約】【課題】壁紙を損傷させずに養生シートを容易に取り外しができる壁面取付け工法を提供する。【解決手段】壁下地材７の表面にシーラーを塗布する。両面テープ１１を接着する。両面テープ１１の表面に磁性体５を接着する。次に、パテ８を接着された磁性体５の表面から壁下地材７の表面にかけて、なだらかな斜面を形成する。パテ９が乾燥して固まったら、壁紙６を貼る。壁紙６表面から養生シート９を被せ、磁性体５が配置されている表面から磁石１０を取り付ける。【選択図】図２
2005282316.tif 000002
【特許請求の範囲】
【請求項１】
壁面に貼られた壁紙を保護する養生シートの壁面取付け工法であって、前記壁紙と前記壁面との間に磁性体を固定し、前記壁紙の表面を前記養生シートで覆い、前記磁性体に対向する位置に前記養生シートの表面側から磁石を貼り付けて養生シートを壁面に仮止めすることを特徴とする養生シート取付け工法。
【請求項２】
天井装飾面を保護する養生シートの取付け工法であって、前記装飾面とその下地面である天井面との間に磁性体を固定し、前記装飾面の表面を前記養生シートで覆い、前記磁性体に対向する位置に前記養生シートの表面側から磁石を貼り付けて前記養生シートを天井装飾面に仮止めすることを特徴とする養生シート取付け工法。
【請求項３】
前記磁性体を壁面または天井面の外周部に配置固定することを特徴とする請求項１または２に記載の養生シート取付け工法。
【請求項４】
前記磁性体を壁面または天井面と面一に固定することを特徴とする請求項１〜３のいずれかに記載の養生シート取付け工法。
【発明の詳細な説明】
【技術分野】
【０００１】
本発明は、壁面や天井面に貼られた壁紙を保護する養生シートの壁面取付け工法に関するものである。
【背景技術】
【０００２】
養生シートは、建築中の壁面や天井面の壁紙等が、その後の作業時に損傷したり破損したりするのを防ぐために、壁紙等の表面を覆うように取り付けられる。この養生シートの取付作業は、壁紙等を貼り付け施工した後、壁紙等の全体を養生シートで覆い、周囲を粘着テープで壁紙等に直接貼り付けるようにしている。
【０００３】
しかし、近年、シックハウス症候群等の公害対策として壁紙にケナフ等の天然素材で生成されたものが用いられる。この天然素材で生成された壁紙は、シックハウス症候群などの公害対策として最適であるが、従来の壁紙に比べて表面が傷付きやすいため、養生シートを固定するテープを剥す際、テープの粘着力によって表面が損傷する問題があった。
【発明の開示】
【発明が解決しようとする課題】
【０００４】
ところで、特許文献１には、展示物を固定するために壁面と壁紙の間に磁性体を介在させ、展示物を磁石により壁面に取り付ける技術が開示されているが、この場合の磁性体は、目的とする展示物を所望の位置に固定するために、特定の壁面の一部若しくは全体に磁性体を配置した構造である。したがって、養生シートとは対象物が全く異なるため、これをそのまま養生シートの仮止め作業に用いることはできず、また、養生シートの仮止めとしては必要範囲以上に磁性体を配置することにもなり、材料費等が嵩む問題がある。
【特許文献１】特開平０９−１４４２７１号（段落０００６〜００１２、図２）
【０００５】
本発明は、上記に鑑み、養生シートの仮止めに適した取付け工法の提供を目的としている。
【課題を解決するための手段】
【０００６】
上記目的を達成するために、本発明は、壁面や天井面に貼られた壁紙等を保護する養生シートの壁面取付け工法であって、前記壁紙等と前記壁面や天井面との間に磁性体を固定し、前記壁紙や天井装飾面の表面を前記養生シートで覆い、前記磁性体に対向する位置に前記養生シートの表面側から磁石を貼り付けて養生シートを壁面や天井面に仮止めすることを特徴としている。
【０００７】
上記構成においては、養生シートの仮止め作業を磁性体と磁石との吸着力を利用して行っているため、壁紙等にケナフなどの天然素材を用いても壁紙等が傷付くのを防止することができる。
【０００８】
磁性体の固定位置は、養生シートを仮止めできる位置ならば特に限定されないが、壁面または天井面の外周部に配置固定するのが好ましい。これにより、必要箇所にのみ磁性体を配置してコストの低減を図ることができる。
【０００９】
また、磁性体を壁面または天井面と面一に固定すれば、磁性体とその固定面である壁面や天井面との間に段差をなくすことができるので、壁紙等を貼り付けた場合に、表面側に段差模様が現われるのを避けることができ、美観上でも優れている。
【発明の効果】
【００１０】
以上のように、本発明によると、壁紙等と壁面や天井面との間に磁性体を固定し、養生シートを磁石の磁力を利用して壁面などに仮止めしているので、養生シートを取り外す際に、壁紙等を傷つけることなく取り外すことができる。また、養生シート自体も磁石の磁力によって仮止めするので、養生シート自体が損傷することもなく、養生シートの再利用が可能となる。
【発明を実施するための最良の形態】
【００１１】
以下、本発明の実施形態を図面に基づいて説明する。図１はマンションや事務所等の建物の屋内構造図を示すもので、本発明に係る養生シートはこの屋内の壁面や天井面に仮止めされる。図２は図１に示す屋内の壁面断面図を示す。
【００１２】
図１に示すように、マンションや事務所等の建物の屋内の壁面１や天井面２に、磁石１０による吸引力を利用して養生シート９が取り外し自在に仮止めされる。屋内は、壁面１と天井面２と床面３とで構成される。壁面１には、斜線部で表わされる窓や扉等の開口部４がある。また、壁面１および天井面２の周囲には磁性体５が壁紙６と壁下地材７との間に介在されている。
【００１３】
さらに詳述すると、壁面１は、図２に示すように、壁下地材７の表面側で、天井や開口部４さらには床面３との境界部に磁性体５が固定され、さらにその表面側に壁紙６が貼り付けられる。
【００１４】
壁下地材７は、石膏ボードや合板等の通常に用いられる非磁性体ボードであって、軽量鉄骨、鉄筋コンクリート等の壁躯体に取り付けられる。
【００１５】
磁性体５は、磁石１０の磁力により吸引される鉄やカーボン等が混在した周知材料から構成される。また、磁性体５は、壁下地材７との段差を極力抑えるために薄い板状に形成され、さらに、吸着長さを確保するために細長く形成されている。例えば、磁性体５の厚みは０．３ｍｍ程度とされ、幅３０ｍｍとされる。また、磁性体５は耐久性を向上させ、壁紙側に錆びが浮き出るのを防ぐために、表面に防錆処理を施すのが好ましい。
【００１６】
磁性体５の厚みにより磁性体５と壁下地材７との間にできる段差は、粘土状のパテ８で埋める。パテ８は、一般的に用いられるエポキシ系樹脂等を含有する粘土状のものが使用され、磁性体５の周囲から離れるに従って緩斜面を形成するように施工する。これにより、壁紙６を貼り付ける仕上げ面は、パテ８で形成された斜面によって、壁下地材７から突出した磁性体５が目立たなくなり、壁下地材７と面一になる。
【００１７】
壁紙６は、紙や布、フィルム等で形成されたものの他に、ケナフ等の天然素材やオレフィン樹脂素材が用いられる。
【００１８】
養生シート９は、塩化ビニル樹脂やポリプロピレン等の被膜樹脂で形成されたものであって、耐光性や防汚性、通気性、撥水性に優れたものを用いるのが好ましい。これにより、養生シート９は、養生中に施工済みの壁や天井等の箇所を保護し、壁紙等にキズや汚れ等が付着するのを防止することができる。
【００１９】
天井面２においても天井面の周囲に上記と同様に磁性体５を固定する。なお、天井面２には壁紙９と同素材のものが使用されたり、あるいは天井化粧材が使用されるが、これらの表面を総称して天井装飾面という。
【００２０】
次に、養生シート９の壁面取付け工法を図２に基づいて説明する。まず、壁下地材７の表面に下塗り材であるシーラーを塗布する。このシーラーは、壁下地材７によって仕上げ面が悪影響を及ぼさないように保護するものである。例えば、壁下地材７がコンクリートやモルタルの場合、その壁下地材７は強いアルカリ性のためアルカリ成分が滲み出て表面に析出し、白い斑点状のシミや塗膜の早期劣化等の悪影響を及ぼすことになる。そこで、アルカリ成分の滲み出しを防止するためにアルカリシーラーを塗布し、壁下地材７の表面に保護膜を形成する。
【００２１】
シーラーが塗布された壁下地材７の表面に、両面テープ１１等の接着テープにより磁性体５を貼り付ける。両面テープ１１は、幅が３０ｍｍとし、磁性体５の各辺端部から１０ｍｍ程度内側で、かつ、各辺に平行に貼り付ける。
【００２２】
磁性体５を接着後、磁性体５の表面を頂点としてパテ９を盛り付けて延ばし、壁下地材７との間になだらかな傾斜面を形成し、磁性体５と壁下地材７との間の段差をなくすようにする。パテ９の乾燥後、壁下地材７の表面に壁紙６を貼る。
【００２３】
このように完成した壁紙６の貼り付け面を保護するため、壁紙６の表面から養生シート９を被せ、その周囲にある磁性体５の対向位置に磁石１０を吸着させて養生シート９を押え、養生シート９を壁面に仮止めする。養生後は、磁石１０を取り外し、壁面１から養生シート９を取り外す。
【００２４】
このように、養生シートの取付け、取り外しは磁石１０の吸引力を利用して行っているので、壁紙６に傷や汚れ等が残らず、また、取り外しの作業時間を短くすることができる。
【００２５】
天井面２についても、上記と同様な方法で、養生シート９の着脱作業が可能となる。
【００２６】
なお、本発明は、上記実施形態に限定されるものではなく、本発明の範囲内で修正、変更を加えることができる。例えば、壁面における養生シートの取付け工法は、天井面や床面、さらには階段等の養生作業について適用してもよい。また、磁性体は、壁下地材表面に接着し、パテ埋めして目立たないようにしているが、壁下地材に凹部を形成し、その凹部に磁性体を埋設するようにしても良い。この場合においても、磁性体の表面と壁下地材の表面とが面一とする。また、磁性体を壁面の全周に固定する場合に限るものではなく、養生シートの取付に支障のない程度に間隔をおいて配置してもよい。
【図面の簡単な説明】
【００２７】
【図１】本発明に係る養生シートの壁面取付け工法を説明するための屋内構造図
【図２】図１に示す屋内の壁面断面図
【符号の説明】
【００２８】
１    壁面
２    天井面
３    床面
４    開口部
５    磁性体
６    壁紙
７    壁下地材
８    パテ
９    養生シート
１０  磁石
１１  両面テープ
【図１】
2005282316.tif 000003
【図２】
2005282316.tif 000004